(57)【要約】【課題】電子モジュールの脱落・電気的接続不良を防ぎ、電子モジュール装着時にその電気的接続作業の効率化・容易化を図る。【解決手段】基板に実装した１以上の電子部品と、基板の一端部に沿って複数の電極が配列され電気的接続を行う第一端子と、第一端子とは別の電気的接続を行う第二端子と、基板の第一面と、第二面とを有して電子機器基体に装着可能な電子モジュール（例えば無線ＬＡＮモジュール）、並びに当該モジュールが装着される装置基体を開示する。第二端子は例えばアンテナ端子であり、第二面に対し略垂直に突出するように第二面に設けられ且つ電子機器基体に備えられて第一端子と電気的に接続される第一コネクタに対し第一端子を係合させることにより電子モジュールを電子機器基体に装着したときに第二端子と対向するように電子機器基体に立設された第二コネクタと係合し、第二コネクタと電気的に接続される。【選択図】図３
2007207432.tif 000002
【特許請求の範囲】
【請求項１】
基板と、
当該基板に実装した１つ以上の電子部品と、
前記基板の一端部に沿って複数の電極が配列されて電気的接続を可能とする第一の端子と、
当該第一の端子とは別の電気的接続を可能とする第二の端子と、
前記基板の一方の面を含む第一の面と、
前記基板の他方の面を含む第二の面と、
を有して電子機器基体に装着可能な電子モジュールであって、
前記第二の端子は、
前記第二の面に対し略垂直に突出するように前記第二の面に設けられ、且つ
前記電子機器基体に備えられて前記第一の端子と電気的に接続される第一のコネクタに対し前記第一の端子を係合させることにより当該電子モジュールを前記電子機器基体に装着したときに当該第二の端子と対向するように前記電子機器基体に立設された第二のコネクタと係合し、当該第二のコネクタと電気的に接続される
ことを特徴とする電子モジュール。
【請求項２】
前記第二の端子は、
略円筒形状を有する第一の電極と、当該第一の電極の略中心位置に当該第一の電極の長さ方向に延在するよう配置された第二の電極とを備え、これにより当該第一の電極と第二の電極とが略同心円状に配置された構造を呈する
請求項１に記載の電子モジュール。
【請求項３】
前記電子モジュールは、無線通信モジュールであり、
前記第二の端子は、アンテナに接続するための端子である
請求項１又は２に記載の電子モジュール。
【請求項４】
基板に１つ以上の電子部品が実装され且つ電気的接続を可能とする第一の端子と第二の端子とを備えた電子モジュール、を装着可能なモジュール装着部を有する電子機器基体であって、
前記モジュール装着部は、
複数の電極が配列され且つ前記電子モジュールの第一の端子と係合して当該第一の端子との電気的接続を可能とする第一のコネクタを一端部に備えると共に、
前記電子モジュールに向け突出して前記第二の端子と係合して当該第二の端子との電気的接続を可能とする第二のコネクタを備える
ことを特徴とする電子機器基体。
【請求項５】
前記電子モジュールに向け突出して前記基板に設けられた貫通孔に差し込まれ、前記モジュール装着部への前記電子モジュールの装着状態において前記基板を貫通する棒状部材
を更に備える請求項４に記載の電子機器基体。
【請求項６】
前記棒状部材の少なくとも先端部に前記基板の表面とは異なる色彩を施してある
請求項５に記載の電子機器基体。
【請求項７】
前記棒状部材は、その先端部に、当該棒状部材の周面から外方に張り出し且つ前記貫通孔への当該棒状部材の挿通を許容する一方、前記モジュール装着部への前記電子モジュールの装着状態において前記基板の上面側に突き出て当該基板を係止する係止部を備える
請求項５又は６に記載の電子機器基体。
【請求項８】
前記第二のコネクタは、
略円筒形状を有する第一の電極と、当該第一の電極の略中心位置に当該第一の電極の長さ方向に延在するよう配置された第二の電極とを備え、これにより当該第一の電極と第二の電極とが略同心円状に配置された構造を呈し、
前記第二の電極との間に間隙を形成しつつ当該第二の電極の周囲を取り囲む弾性部材を更に備えた
請求項４から７のいずれか一項に記載の電子機器基体。
【請求項９】
前記電子機器基体が、電子機器の筐体である
請求項４から８のいずれか一項に記載の電子機器基体。
【請求項１０】
前記電子機器基体が、当該電子機器の主要電子部品を搭載した主基板である
請求項４から８のいずれか一項に記載の電子機器基体。
【請求項１１】
前記電子機器基体は、無線通信電子機器基体であり、
前記第二のコネクタは、アンテナに接続するコネクタである
請求項４から１０のいずれか一項に記載の電子機器基体。
【請求項１２】
前記請求項１から３のいずれか一項に記載の電子モジュールと、
前記請求項４から１１のいずれか一項に記載の電子機器基体と、
を備えた電子機器。
【発明の詳細な説明】
【技術分野】
【０００１】
本発明は、電子モジュール、電子機器基体および電子機器に係り、特に基板に電子部品を実装した電子モジュール（例えば無線ＬＡＮモジュール）を電子機器（例えばアクセスポイント装置やコンピュータ等）に組み込むときのコネクタの接続構造に関する。
【背景技術】
【０００２】
基板に複数の電子部品を実装し特定の機能を持たせた各種の電子モジュールが提供されている。例えば、無線ＬＡＮを構築する無線ＬＡＮモジュールは、無線通信用の高周波回路やＣＰＵ、通信プログラムを格納したＲＯＭ、作業メモリ領域を提供するＲＡＭ等を構成する各種の電子部品（ＩＣやチップ部品、基板内蔵素子等）を基板に実装してなり、アクセスポイント装置に組み込んでこれらが備えるコネクタとの電気的な接続を行うための接続端子を有している。
【０００３】
また、この種の電子モジュール（電子カード）と回路基板との間の電気的接続を行うカードエッジコネクタを開示するものとして下記文献がある。
【特許文献１】特開２００４‐３９６２２号公報
【発明の開示】
【発明が解決しようとする課題】
【０００４】
ところで、電子モジュールを組み込んだ電子機器製品では、その流通途上で例えば輸送中の振動によりコネクタと接続端子との接続が外れ、或いはモジュール自体が電子機器の基板から脱落するトラブルが発生することがあった。
【０００５】
上記文献に記載のコネクタを含め、従来のこの種のコネクタでは、電子モジュールの側縁部に嵌合してこれを係止する一対のアームを被装着側（主基板側又は装置本体側）のコネクタに設けている。しかしながら、このような係止機構によっても上記問題を完全に解決することは出来ず、その解決が望まれる。
【０００６】
また、従来の取付構造は、モジュールが確実に取り付けられたか確認する機構を備えておらず、流通途上のみならずモジュールの組込時においても取付け不良が生じる可能性がある。したがって製品の信頼性をより一層向上させるため、従来の接続構造はこの点でも更なる改良の余地がある。
【０００７】
さらに、所定の電気的接続を行いつつモジュールを電子機器に組み込む組立作業においてその作業効率ないし利便性が十分とは言えない面がある。
【０００８】
具体的には、組み込むべき電子モジュールが複数の電気的接続部を有する場合に、第一の電気的接続は例えば当該モジュールを差し込むだけで完了可能とすることが出来るものの、他の（第二の）電気的接続は当該第一の接続と同時に完了させることは従来出来ず、第一の接続を行った後に別途接続作業を行わなければならない煩わしさがある。
【０００９】
したがって、本発明の目的は、電子モジュールの脱落や電気的接続不良をより確実に防止する点にあり、さらに電子モジュールの装着時にその電気的接続作業の効率化および容易化を図ることを目的とする。
【課題を解決するための手段】
【００１０】
前記課題を解決し目的を達成するため、本発明に係る電子モジュールは、基板と、当該基板に実装した１つ以上の電子部品と、前記基板の一端部に沿って複数の電極が配列されて電気的接続を可能とする第一の端子と、当該第一の端子とは別の電気的接続を可能とする第二の端子と、前記基板の一方の面を含む第一の面と、前記基板の他方の面を含む第二の面とを有して電子機器基体に装着可能な電子モジュールであって、前記第二の端子は、前記第二の面に対し略垂直に突出するように前記第二の面に設けられ、且つ前記電子機器基体に備えられて前記第一の端子と電気的に接続される第一のコネクタに対し前記第一の端子を係合させることにより当該電子モジュールを前記電子機器基体に装着したときに当該第二の端子と対向するように前記電子機器基体に立設された第二のコネクタと係合し、当該第二のコネクタと電気的に接続される。
【００１１】
一方、本発明に係る電子機器基体は、基板に１つ以上の電子部品が実装され且つ電気的接続を可能とする第一の端子と第二の端子とを備えた電子モジュール、を装着可能なモジュール装着部を有する電子機器基体であって、前記モジュール装着部は、複数の電極が配列され且つ前記電子モジュールの第一の端子と係合して当該第一の端子との電気的接続を可能とする第一のコネクタを一端部に備えると共に、前記電子モジュールに向け突出して前記第二の端子と係合して当該第二の端子との電気的接続を可能とする第二のコネクタを備える。
【００１２】
本発明に係る電子モジュールは電子機器基体に対し装着可能なものであり、一方、本発明に係る電子機器基体は上記モジュール装着部に電子モジュールを収容して当該電子モジュールを組み込むことが可能なものである。
【００１３】
電子モジュールは、基板に１つ以上の電子部品を実装してなり、装着すべき電子機器基体と電気的な接続を行う第一の端子（以下、「第一端子」という／第二の端子、第一のコネクタ、第二のコネクタ、第一の電極および第二の電極等についても同様）と第二端子とを有する。これら端子のうち第一端子は、上記基板の一端部に沿って複数の電極が配列された構造を有する。一方、電子機器基体のモジュール装着部には、その一端部に、当該第一端子と係合して電気的接続を行う第一コネクタを設けてある。
【００１４】
他方、上記第二端子は、上記電子モジュールの第二の面（例えば第一の面を表面とした場合には裏面）に対し略垂直に突出するように当該第二の面に設けてある。また、この第二端子と係合して電気的に接続する電子機器基体側のコネクタ（第二コネクタ）は、電子モジュールをモジュール装着部に装着するときに第二端子と対向するようモジュール装着部に立設してあり、第一端子と第一コネクタとを係合させて電子モジュールをモジュール装着部に装着するときに、これら第二端子と第二コネクタとが互いに対向し、更にこれらを互いに近づけるように操作することにより両者（第二端子と第二コネクタ）が互いに係合し電気的に接続される。
【００１５】
このように本発明によれば、第一の電気的な接続（第一端子および第一コネクタ）と第二の電気的な接続（第二端子および第二コネクタ）を同時に（一連の操作で）行うことが可能となる。
【００１６】
第二端子、並びに第二コネクタの具体的構造は、必ずしもこれに限定されるものではないが、例えば第二端子は、略円筒形状を有する第一電極と、当該第一電極の略中心位置に当該第一電極の長さ方向に延在するよう配置された第二電極とを備え、これにより当該第一電極と第二電極とが略同心円状に配置された構造とすることが出来る。
【００１７】
また、第二コネクタは、略円筒形状を有する第一電極と、当該第一電極の略中心位置に当該第一電極の長さ方向に延在するよう配置された第二電極とを備え、これにより当該第一電極と第二電極とが略同心円状に配置された構造とすることができ、第二電極との間に間隙を形成しつつ当該第二電極の周囲を取り囲む弾性部材を更に備えていても良い。
【００１８】
これらの構造を有する第二端子および第二コネクタでは、第二端子の第一電極が第二コネクタの第一端子に、また第二端子の第二電極が第二コネクタの第二端子にそれぞれ接触して電気的接続を行う。
【００１９】
第二端子および第二コネクタのより具体的な構造の一例を述べれば、第二端子の第二電極および第二コネクタの第二電極のうちのいずれか一方が針状（或いは棒状）の電極形状を有し、他方が当該一方の電極の挿入を許容するパイプ状（又は穴状）の電極形状を有して、これにより第二端子と第二コネクタとを係合させたときに当該針状（棒状）の電極がパイプ状（穴状）の電極に差し込まれて両電極が接触して導通する。
【００２０】
また第一電極同士の接続は、例えば、第二端子の第一電極および第二コネクタの第一電極のうちのいずれか一方の内周面と他方の外周面とが接触するように他方の第一電極が一方の第一電極に対して入れ子状に差し込まれるようにすれば良い。尚、かかる第二端子および第二コネクタの形状および接続構造は、一例と示したものであって他の形状や構造をとることも可能である。
【００２１】
また、本発明に係る電子モジュールおよび電子機器基体は、その種類・用途・機能等を特に限定するものではないが、例えば無線通信機器（無線ＬＡＮのアクセスポイントや通信アダプタ等）に好ましく適用することが出来る。すなわち、上記電子モジュールを例えば無線通信モジュールとすることができ、この場合、上記第二端子をアンテナに接続する端子とすることが出来る。また、上記電子機器基体を例えば無線通信電子機器の基体とすることができ、この場合、上記第二コネクタをアンテナに接続するコネクタとすることが出来る。
【００２２】
更に、本発明に言う電子機器基体とは、具体的には、例えば電子機器の筐体や基板（例えば電子機器の主要電子部品を搭載した主基板や他の基板）を云う。ただしこれらに限定されるものではなく、電子機器を構成する他の各種の部材であって良い。
【００２３】
電子機器基体は、電子モジュールに向け突出して上記基板に設けられた貫通孔に差し込まれ、上記モジュール装着部への電子モジュールの装着状態において上記基板を貫通する棒状部材を更に備えることが望ましい。
【００２４】
このような基体構造によれば、基板を貫通する上記棒状部材が電子モジュールの位置ずれを阻止し、電子モジュールの脱落やコネクタから端子が外れることを防止することが出来る。また、電子機器基体（モジュール装着部）へ電子モジュールを装着時に、棒状部材が電子モジュールの基板を貫通するから、上記基板の上面側から当該棒状部材を（棒状部材が基板を貫通して上面側に突出したことを）視認することで当該電子モジュールが電子機器基体に確実に装着されたことを確認することが可能となる。
【００２５】
上記棒状部材には、少なくとも先端部に上記基板の表面とは異なる色彩を施しても良い。上記装着時の視認性（棒状部材が基板を貫通して電子モジュールが所定位置に装着されたことの確認）が向上させるためである。
【００２６】
更に上記棒状部材は、その先端部に、当該棒状部材の周面から外方に張り出し且つ上記貫通孔への棒状部材の挿通を許容する一方、モジュール装着部への電子モジュールの装着状態において上記基板の上面側に突き出て当該基板を係止する係止部を備えるようにしても良い。
【００２７】
棒状部材をこのような構造とすれば、電子モジュールをより確実にモジュール装着部に固定することが出来る。また、棒状部材を上記基板の貫通孔に貫通させて電子モジュールを装着すると、上述のように棒状部材を視覚的に確認するだけでなく、係止部が貫通孔を通過して基板の上面に抜け出た衝撃（手応え）が得られ、視覚的確認に加えて体感的（触覚的）に電子モジュールが装着されたことを装着者が知ることが可能となるから、電子モジュールの装着の確実性をより一層高めることが出来る。
【００２８】
本発明に係る電子機器は、本発明に係る上記いずれかの電子モジュールと電子機器基体とを備えたものである。
【発明の効果】
【００２９】
本発明によれば、電子モジュールの脱落や電気的接続不良をより確実に防止することが出来る。また、電子モジュールの装着時における電気的接続作業の効率化および容易化を図ることが可能となる。
【００３０】
本発明の他の目的、特徴および利点は、図面に基づいて述べる以下の本発明の実施の形態の説明により明らかにする。尚、各図中、同一の符号は同一又は相当部分を示す。
【発明を実施するための最良の形態】
【００３１】
図１から図３は、本発明の一実施形態に係る電子機器である無線ＬＡＮのアクセスポイント装置を示すものである。同図に示すようにこのアクセスポイント装置１０は本発明に係る電子モジュールの一例として無線ＬＡＮモジュール４１（以下、単に「モジュール」ということがある）と、無線ＬＡＮアクセスポイント装置本体１１（以下、単に「装置本体」ということがある）とを備えたもので、図１から図３は無線ＬＡＮモジュール４１をアクセスポイント装置本体１１に装着する工程を順に示している。
【００３２】
装置本体１１は、筐体１２（電子機器基体）と、この筐体１２内に収納した主基板１３（メインボード／マザーボード）と、クライアント端末との間で無線通信を行う送受信用のアンテナ（図示せず）とを備えている。主基板１３はこの例では筐体１２の底板１２ａに固定してあり、当該アクセスポイント装置１０を構成する各種の電子部品（図示せず）がＩＣやチップ部品、基板内蔵素子等として実装してある。また、主基板１３の略中央部には、無線ＬＡＮモジュール４１が差し込まれて当該モジュール４１との電気的な接続を行うため予め定められた所定本数の電極１６を備えた多ピンスロット１５（第一コネクタ）を設ける。
【００３３】
さらに、この多ピンスロット１５は、その両端部から略水平に且つ当該スロット１５からモジュール４１を抜き取る方向にそれぞれ延びる一対のアーム１７を備え、各アーム１７の先端部には、当該スロット１５に装着されるモジュール４１を固定する固定部２０をそれぞれ設けてある。アーム１７の先端部に設けたこれらの固定部２０は、互いに対向するように内方に突出してモジュール基板４２の両側縁部に形成した切欠部４８に嵌入しモジュール４１の抜き取り方向への移動（ずれ）を規制する係止突起１８と、モジュール基板４２の上方への移動を規制する爪部１９とを有する。アーム１７は可撓性を有し、アーム１７（爪部１９）の間にモジュール基板４２を上方から落とし込むと、互いに対向するように各アーム１７に設けた爪部１９が互いに遠ざかる方向に広がって当該アーム１７間にモジュール基板４２を挿入することが出来る。アーム１７間にモジュール基板４２が挿入された後は、各爪部１９がモジュール基板４２の上面側両縁部をそれぞれ把持する。
【００３４】
尚、アーム１７によるモジュール４１の係止構造（アーム１７の形状や構造）は、この例のほかにも様々な形態をとることが可能であり、スロット１５からモジュール４１を抜き取る方向或いは上方へのモジュール４１の移動を阻止する機構を有するものであれば、如何なる構造であっても良い。
【００３５】
例えばこのような変形例に限定されるものではないが、上記爪部１９に代え（或いは上記爪部１９に加えて）、図９に示すようにモジュール基板４２の端縁部（多ピンスロット１５への接続端とは反対側の端部）を把持する係止部材５９を筐体１２（又は主基板１３）に設けても良い。この係止部材５９は、モジュール基板４２の上面端部に引っ掛かる爪５９ａを備え且つ可撓性を有して上記爪部１９と同様に、モジュール基板４２の下方への侵入を許容する一方、モジュール基板４２が装着された後には爪５９ａがモジュール基板４２の端部を把持し、当該基板４２の上方への移動を阻止する。
【００３６】
尚、上記アーム１７や係止部材５９等の係止構造は、主基板１３とモジュール４１との接続をより確実にする観点から設けることが望ましいが、本実施形態（本発明）では、後に述べるアンテナコネクタ２１とアンテナ端子４３（第二コネクタと第二端子）、或いは係止ロッド３１と係止孔４６（棒状部材と基板貫通孔）によってもモジュール４１の移動を規制することが出来るから、必ずしも必須のものではない。
【００３７】
筐体１２には、底板１２ａから略垂直に上方に立ち上がるアンテナコネクタ２１と、同様に底板１２ａから略垂直に上方に立ち上がる係止ロッド３１とを設ける。アンテナコネクタ２１は、アクセスポイント装置本体１１が備える前記アンテナ（図示せず）に接続するコネクタであり、円筒状の外筒２２と、その内部に立設した円柱状のコネクタ本体２３とを有する。コネクタ本体２３はその上端部の中心位置に、モジュール４１側に設けたアンテナ端子４３（後述する）の信号電極４４が差し込まれる中心穴２６を形成し、この中心穴２６の内部に信号用の電極２４を設けてある（図５では図示せず／図６，７参照）。モジュール４１側に設けたアンテナ端子４３の信号電極４４は、当該中心穴２６に差し込まれ、信号電極２４と接触することにより当該信号電極２４と電気的に接続される。
【００３８】
一方、コネクタ本体２３の外周面にはグランド用の電極２５（図５では図示せず／図６，７参照）を設ける。外筒２２の内周面には、コネクタ本体２３の外周面（グランド電極２５）との間に一定の距離を隔ててモジュール基板裏面に設けたアンテナ端子４３のグランド電極４５の挿入スリット２７を形成する弾性部材２８を設けてあり、この弾性部材２８とコネクタ本体外周面のグランド電極２５との間に、モジュール基板４２に設けたアンテナ端子４３のグランド電極４５が圧入されることにより、両電極２５，４５が接触し電気的に接続される。
【００３９】
尚、弾性部材２８は、アンテナコネクタ２１へのアンテナ端子４３の挿入を容易にすると共に、両者の嵌合接続状態においてアンテナ端子４３を把持してアンテナ端子４３がアンテナコネクタ２１から外れることを阻止する機能を奏する。弾性部材２８の素材としては、例えば合成ゴム等を用いることが出来る。
【００４０】
アンテナコネクタ２１とアンテナ或いはグランドとの接続は、筐体１２の例えば表面や内部（底板１２ａや側壁等の内部）等に適宜配した導体線路（図示せず）により行えば良い。
【００４１】
係止ロッド３１は、上記アンテナコネクタ２１より大きな高さ寸法を有し、モジュール４１を装着しアンテナ端子４３とアンテナコネクタ２１とを接続したときに、当該係止ロッド３１はモジュール基板４２に設けた係止孔４６（後述する）を貫通してモジュール基板４２の上面より上方にその先端部３１ａが突出する（図３，図７参照）。このように係止ロッド３１がモジュール基板４２を貫通することでモジュール４１の水平方向の移動を規制して当該モジュール４１を係止することが出来る。さらに、この係止ロッド先端部３１ａが突出したことを見ることによりモジュール４１が正確に装着されたことを視覚的に確認することが可能となるから、モジュール組込時における取付不良を防止することが出来る。
【００４２】
上記モジュール装着時の確認をより容易にするため、係止ロッド３１の先端部３１ａに着色を施しておいても良い。この色は、モジュール基板４２の表面と異なる色彩とすることが視認性を高める点で好ましい。さらに、上記視覚的な確認を可能とするだけでなく、係止ロッド３１がモジュール基板４２の係止孔４６に圧入されるような（力を加えなければ挿入することが出来ない）寸法を有するようにすれば、体感的／触覚的にモジュール４１が正しく装着されたことを組込作業者が分かるようになる。
【００４３】
また、図８に示すように係止ロッド３２の先端部に、外形寸法を大きくしてモジュール基板４２の係止孔４６に圧入される拡径部３２ａ（係止部）を形成しておけば、上記体感的／触覚的な確認が可能となると共に、当該拡径部３２ａによってモジュール基板４２が上方へ持ち上がることを防ぎ、前記アンテナ端子４３がアンテナコネクタ２１から外れることを防止することが可能となる。
【００４４】
モジュール４１は、当該無線ＬＡＮモジュールを構成する各種の電子部品、例えば高周波回路やＣＰＵ、通信プログラムを格納したＲＯＭ、作業メモリ領域を提供するＲＡＭ等を構成する各種の電子部品（いずれも図示せず）を基板４２の表面や内部に実装してなる。また当該基板４２の先端部には、図４に示すように前記主基板１３（多ピンスロット１５）と電気的に接続するため所定数の電極を当該基板４２の先端縁に沿って配列させた基板端子４９（第一端子）を設ける。また、基板４２の両側縁部には、前記アーム先端部に設けた係止突起１８が嵌入可能な切欠部４８を形成する。さらにモジュール基板４２には、前記係止ロッド３１が挿通される係止孔４６（貫通孔）を設ける。
【００４５】
モジュール基板４２の裏面（図４等参照）には、モジュール基板４２の裏面から略垂直下方（図４では上方）に突出するアンテナ端子４３（第二端子）を配してある。このアンテナ端子４３は、円筒状のグランド電極４５と、このグランド電極４５の略中心位置に立設した信号電極４４とを備えている。グランド電極４５は、前記アンテナコネクタ２１のグランド電極２５の周りに被せられるように接続され、信号電極４４は、前記コネクタ本体２３の中心穴２６に差し込まれて当該コネクタ２１の信号電極２４に接続される（図７参照）。
【００４６】
この種の無線ＬＡＮモジュールでは従来、アンテナ端子は基板の表面側に設けられていた。これに対し、アンテナ端子４３を基板４２の裏面側に配することで、基板端子４９をスロット１５に挿入して基板４２の基端側を押し下げるという一連の操作によって基板端子４９とアンテナ端子４３とを一度に接続することが可能となる。また、比較的多数の素子が搭載される基板表面側でなく裏面側にアンテナ端子４３を設けることで、モジュール４１の一層の小型化を図ることも可能となる。
【００４７】
アンテナ端子４３（アンテナコネクタ２１）や係止孔４６（係止ロッド３１）の配設位置は、特に限定されないが、前記基板端子４９を設けた側を基板先端、その反対側を基板基端とした場合に、基板基端側（基端近傍位置）に設けた方が、モジュール４１を安定して固定支持する点で好ましい。すなわち、基板先端部は前記多ピンスロット１５により、また基板中間部は前記アーム１７（固定部２０）によりそれぞれ支持され、さらに基板基端部はアンテナコネクタ２１と係止ロッド３１によって支持されることとなってモジュール４１の脱落をより確実に防止することが出来る。
【００４８】
アクセスポイント装置本体１１に対して無線ＬＡＮモジュール４１を装着するには、図２に示すようにモジュール４１の先端部をスロット１５に斜め上方から差し込み、基板４２の基端側を押し下げれば良い。基板基端の押し下げ操作に伴って、モジュール基板裏面のアンテナ端子４３が筐体側のアンテナコネクタ２１に差し込まれると共に、筐体側の係止ロッド３１がモジュール側の係止孔４６に差し込まれ、アーム１７の固定部２０（係止突起１８，爪部１９）がモジュール基板４２ないしその切欠部４８に係合して図３に示すようにモジュール４１が装置本体１１に装着される。
【００４９】
この装着状態では、アンテナ端子４３（第二端子）とアンテナコネクタ２１（第二コネクタ）の接続、並びに係止孔４６への係止ロッド３１の挿入によって、モジュール基板４２に平行な方向（特に基板端子４９（第一端子）がスロット１５（第一コネクタ）から離脱する方向）への移動が規制されるから、装置本体１１からのモジュール４１の離脱や、装置本体１１‐モジュール４１間の電気的接続が不用意に外れるトラブルをより確実に防ぐことが出来る。
【００５０】
以上、本発明の実施の形態について説明したが、本発明はこれらに限定されるものではなく、特許請求の範囲に記載の範囲内で種々の変更を行うことができることは当業者に明らかである。
【００５１】
例えば、前記実施形態ではアンテナコネクタ２１（第二コネクタ）と係止ロッド３１を共に装置本体１１の筐体１２に設けたが、これらのうちのいずれか一方又は双方を主基板１３に設け、同様にモジュール４１のアンテナ端子４３および係止孔４６とそれぞれ係合するようにしても良い。また、端子（モジュール側）およびコネクタ（基体側）の形状や接続構造、電極の配置・本数等、さらに係止ロッドやこれと係合する孔の形状や構造、配設数等は、様々であって良く、図示の例に限定されない。
【図面の簡単な説明】
【００５２】
【図１】本発明の一実施形態に係る無線ＬＡＮアクセスポイント装置本体（無線ＬＡＮモジュールを装着する前の状態）を、筐体の側壁を一部切り欠いて示す斜視図である。
【図２】前記無線ＬＡＮアクセスポイント装置本体に無線ＬＡＮモジュールを装着する工程を、筐体の側壁を一部切り欠いて示す斜視図である。
【図３】前記無線ＬＡＮアクセスポイント装置本体に無線ＬＡＮモジュールを装着した状態を、筐体の側壁を一部切り欠いて示す斜視図である。
【図４】上記実施形態に係る無線ＬＡＮモジュールの裏面側を示す斜視図である。
【図５】上記実施形態に係る無線ＬＡＮアクセスポイント装置本体が備えるアンテナコネクタ（第二コネクタ）および係止ロッド（棒状部材）を拡大して示す斜視図である。
【図６】上記実施形態に係る無線ＬＡＮモジュールのアンテナ端子および係止孔と、無線ＬＡＮアクセスポイント装置本体のアンテナコネクタおよび係止ロッドとの係合状態（モジュールの装着完了前）を拡大して示す断面図である。
【図７】上記実施形態に係る無線ＬＡＮモジュールのアンテナ端子および係止孔と、無線ＬＡＮアクセスポイント装置本体のアンテナコネクタおよび係止ロッドとの係合状態（モジュールの装着完了後）を拡大して示す断面図である。
【図８】係止ロッドの別の構成例を示す図である。
【図９】上記実施形態において無線ＬＡＮモジュールを係止するための別の構造の一例を示す斜視図である。
【符号の説明】
【００５３】
１０  無線ＬＡＮのアクセスポイント装置
１１  無線ＬＡＮアクセスポイント装置本体
１２  筐体
１２ａ  底板
１３  主基板
１５  多ピンスロット（第一コネクタ）
１７  アーム
１８  係止突起
１９  爪部
２１  アンテナコネクタ（第二コネクタ）
２３  コネクタ本体
２４  信号電極
２５  グランド電極
２８  弾性部材
３１，３２  係止ロッド
４１  無線ＬＡＮモジュール
４２  モジュール基板
４３  アンテナ端子（第二端子）
４４  信号電極
４５  グランド電極
４６  係止孔
４８  切欠部
４９  基板端子（第一端子）
５９  係止部材
５９ａ  爪
【図１】
2007207432.tif 000003
【図２】
2007207432.tif 000004
【図３】
2007207432.tif 000005
【図４】
2007207432.tif 000006
【図５】
2007207432.tif 000007
【図６】
2007207432.tif 000008
【図７】
2007207432.tif 000009
【図８】
2007207432.tif 000010
【図９】
2007207432.tif 000011